(57)【要約】      （修正有）【課題】節約した印刷をする場合に、ユーザの好みに応じた印刷レイアウトの設定が可能とする。【解決手段】画像処理装置は、節約印刷するために原稿の枚数に応じた印刷レイアウトとが関連付けられて登録されたレイアウト情報を記憶するレイアウト情報記憶部２４と、原稿の枚数を認識する枚数認識部２０と、枚数認識部に認識された原稿の枚数に従ってレイアウト情報記憶部に記憶されたレイアウト情報に基づく印刷レイアウトを設定するレイアウト設定部２２とを備える。【選択図】図３
2014026369.tif 000002
【特許請求の範囲】
【請求項１】
節約印刷するために原稿の枚数に応じた印刷レイアウトとが関連付けられて登録されたレイアウト情報を記憶するレイアウト情報記憶部と、
原稿の枚数を認識する枚数認識部と、
前記枚数認識部に認識された原稿の枚数に従って前記レイアウト情報記憶部に記憶されたレイアウト情報に基づく印刷レイアウトを設定するレイアウト設定部とを備える、画像処理装置。
【請求項２】
ユーザ操作に従って節約印刷するために前記レイアウト情報を登録するためのレイアウト情報登録部をさらに備え、
前記レイアウト情報登録部は、
ユーザ操作の入力を受け付ける受付部と、
原稿の枚数に対する印刷の枚数の規制条件が予め登録された規制条件登録部と、
前記受付部で入力された内容が前記規制条件登録部で登録されている規制条件を超えないか否かを判定するための判定部と、
前記判定部からの判定結果に基づいてメッセージを表示するメッセージ表示部とを含む、請求項１に記載の画像処理装置。
【請求項３】
前記レイアウト情報登録部は、
前記判定部において規制条件を超えないと判断した場合には、前記受付部で入力された内容を前記レイアウト情報として前記レイアウト情報記憶部に登録する情報登録部をさらに含む、請求項２記載の画像処理装置。
【請求項４】
前記規制条件登録部で登録されている規制条件は、管理者により登録されている、請求項２記載の画像処理装置。
【請求項５】
各々が異なるレイアウト情報である、複数の印刷レイアウトのパターンが選択可能に設けられており、
前記受付部は、前記複数の印刷レイアウトのパターンのうちの１つの選択の入力を受け付ける、請求項２〜４のいずれかに記載の画像処理装置。
【請求項６】
前記レイアウト情報記憶部は、ユーザ毎にレイアウト情報を記憶する、請求項１〜５のいずれかに記載の画像処理装置。
【請求項７】
前記レイアウト情報は、原稿の枚数およびサイズに応じた印刷レイアウトとが関連付けられて登録される、請求項１〜６のいずれかに記載の画像処理装置。
【請求項８】
節約印刷するために原稿の枚数に応じた印刷レイアウトとが関連付けられて登録されたレイアウト情報を記憶する記憶部を有する画像処理装置の制御方法であって、
原稿の枚数を認識するステップと、
認識された原稿の枚数に従って前記記憶部に記憶されたレイアウト情報に基づく印刷レイアウトを設定するステップとを備える、画像処理装置の制御方法。
【発明の詳細な説明】
【技術分野】
【０００１】
本発明は、画像処理装置および画像処理装置の制御方法に関し、特に、より少ない印刷枚数で出力するための印刷レイアウトを設定する画像処理装置および画像処理装置の制御方法に関する。
【背景技術】
【０００２】
近年、エコロジーの観点から両面印刷やＮｉｎ１等の集約機能を利用し、用紙の使用枚数を節約しようという取り組みが行われている。
【０００３】
しかしながら、ユーザーにとって印刷のたびに当該印刷レイアウトの設定を変更するのは非常に煩わしい作業となる。
【０００４】
この点、特開２００２−３５８１８９号公報においては、印刷ページ数を認識し、要求枚数に収めるためのレイアウトを案内してくれる方式が提案されている。また、特開２０１１−１１６０２６号公報においてもフォルダに格納するだけで割り当てられている印刷設定で印刷を実行する方式が提案されている。
【０００５】
しかしながら、上記公報では、原稿毎にユーザーが好む節約して印刷する印刷レイアウトを選択することはできるが、印刷のたび毎にユーザーが判断し操作する必要があり操作性が良いとは言えない。
【０００６】
また、特開２００６−３０１９６４号公報においては、ユーザー毎に好みの印刷設定情報を登録し、登録された印刷設定情報を基にユーザー毎のレイアウトで印刷を行う方式が提案されている。
【先行技術文献】
【特許文献】
【０００７】
【特許文献１】特開２００２−３５８１８９号公報
【特許文献２】特開２０１１−１１６０２６号公報
【特許文献３】特開２００６−３０１９６４号公報
【発明の概要】
【発明が解決しようとする課題】
【０００８】
しかしながら、ユーザ毎に印刷設定情報が登録されている場合、ユーザーの操作は必要ないが。全ての原稿が同じ印刷レイアウトの設定で印刷されるため自由度に欠けるという問題がある。
【０００９】
本発明は、上記のような問題を解決するためになされたものであって、節約した印刷をする場合に、ユーザの好みに応じた印刷レイアウトの設定が可能な画像処理装置および画像処理装置の制御方法を提供することを目的とする。
【課題を解決するための手段】
【００１０】
本発明のある局面に従う画像処理装置は、節約印刷するために原稿の枚数に応じた印刷レイアウトとが関連付けられて登録されたレイアウト情報を記憶するレイアウト情報記憶部と、原稿の枚数を認識する枚数認識部と、枚数認識部に認識された原稿の枚数に従ってレイアウト情報記憶部に記憶されたレイアウト情報に基づく印刷レイアウトを設定するレイアウト設定部とを備える。
【００１１】
好ましくは、ユーザ操作に従って節約印刷するためにレイアウト情報を登録するためのレイアウト情報登録部をさらに備え、レイアウト情報登録部は、ユーザ操作の入力を受け付ける受付部と、原稿の枚数に対する印刷の枚数の規制条件が予め登録された規制条件登録部と、受付部で入力された内容が規制条件登録部で登録されている規制条件を超えないか否かを判定するための判定部と、判定部からの判定結果に基づいてメッセージを表示するメッセージ表示部とを含む。
【００１２】
特に、レイアウト情報登録部は、判定部において規制条件を超えないと判断した場合には、受付部で入力された内容をレイアウト情報としてレイアウト情報記憶部に登録する情報登録部をさらに含む。
【００１３】
特に、規制条件登録部で登録されている規制条件は、管理者により登録されている。
特に、各々が異なるレイアウト情報である、複数の印刷レイアウトのパターンが選択可能に設けられており、受付部は、複数の印刷レイアウトのパターンのうちの１つの選択の入力を受け付ける。
【００１４】
好ましくは、レイアウト情報記憶部は、ユーザ毎にレイアウト情報を記憶する。
好ましくは、レイアウト情報は、原稿の枚数およびサイズに応じた印刷レイアウトとが関連付けられて登録される。
【００１５】
本発明のある局面に従う画像処理装置の制御方法は、節約印刷するために原稿の枚数に応じた印刷レイアウトとが関連付けられて登録されたレイアウト情報を記憶する記憶部を有する画像処理装置の制御方法であって、原稿の枚数を認識するステップと、認識された原稿の枚数に従って記憶部に記憶されたレイアウト情報に基づく印刷レイアウトを設定するステップとを備える。
【発明の効果】
【００１６】
節約した印刷をする場合に、ユーザの好みに応じた印刷レイアウトの設定が可能である。
【図面の簡単な説明】
【００１７】
【図１】本発明の実施の形態に従う画像処理システムの概略構成を説明する図である。
【図２】本発明の実施の形態１に従うＰＣの構成について説明する図である。
【図３】本発明の実施の形態に従うプリンタドライバの機能ブロックを説明する図である。
【図４】本発明の実施の形態に従うプリンタドライバの印刷設定画面を説明する図である。
【図５】本発明の実施の形態に従うプリンタドライバの節約条件登録画面を説明する図である。
【図６】本発明の実施の形態に従うユーザー毎に登録したレイアウト情報の一例について説明する図である。
【図７】本発明の実施の形態に従う規制条件を設定するための管理画面を説明する図である。
【図８】本発明の実施の形態に従う規制条件登録画面を説明する図である。
【図９】本発明の実施の形態に従う規制条件と節約条件との関係を説明する概念図である。
【図１０】本発明の実施の形態に従う節約印刷するために印刷レイアウトの設定を登録する場合の処理を説明するフロー図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての同一部分については、その詳細な説明は繰り返さない。
【００１９】
＜全体構成＞
図１は、本発明の実施の形態に従う画像処理システムの概略構成を説明する図である。
【００２０】
図１を参照して、画像処理装置の一種であるＰＣ（Personal Computer）１と、当該ＰＣ１とネットワークで接続されたＭＦＰ（Multi Function Peripheral）５０とが設けられている。
【００２１】
本例においては、ＰＣ１からＭＦＰ５０に対して印刷ジョブを送信して、ＭＦＰ５０のプリンタ機能により当該印刷ジョブに従う印刷処理を実行する場合について説明する。
【００２２】
なお、本例においては、ＰＣ１は、複数のユーザで共有可能な場合を例に挙げて説明し、ユーザは認証処理等により識別されるものとする。また、管理者も当該ＰＣ１にアクセス可能に設けられ、管理者がアクセスした場合には、管理者のみ操作可能な画面等も表示されるものとする。
【００２３】
＜ハードウェア構成＞
図２は、本発明の実施の形態１に従うＰＣの構成について説明する図である。
【００２４】
図２を参照して、本発明の実施の形態１に従うＰＣ１は、オペレーティングシステム（ＯＳ：Operating System）を含む各種プログラムを実行する制御装置（制御手段）であるＣＰＵ（Central Processing Unit）１１と、ＣＰＵ１１のプログラム部分の実行に必要なデータを一時的に記憶するＲＡＭ１３と、ＣＰＵ１１で実行されるプログラムや各種データ、ファイル等を不揮発的に記憶する記憶装置（記憶手段）であるハードディスクドライブ（ＨＤＤ：Hard Disk Drive）１４と、ＣＰＵ１１で実行されるプログラムが予め格納されたＲＯＭ１２と、キーボード、マウス等を含む入力装置（入力手段）１５と、画面を表示するための表示装置（表示手段）であるディスプレイ１６と、一例として、ＬＡＮ（Local Area Network）を介して外部とのデータの授受を実行する送信／受信装置（送信／受信手段）であるネットワークインタフェースカード（ＮＩＣ）１８とを含む。
【００２５】
また、上述の各部は、内部バス１９を介して相互にデータを授受する。なお、本例においては、ディスプレイ１６がＰＣ本体と一体となっている場合について説明しているが、特に、これに限られず、ディスプレイ１６が別体となっていても良い。
【００２６】
また、ＲＯＭ１２あるいはＨＤＤ１４には、コンピュータの基本ソフトウェア（ＯＳ）およびこの基本ソフトウェア上で動作するアプリケーション（たとえば、文書編集アプリケーションであるワープロソフト、表計算ソフトなど）が記憶されており、当該アプリケーションを用いて作成された印刷対象となるデータがファイルデータという形式で保存されているものとする。また、ＲＯＭ１２あるいはＨＤＤ１４には、当該印刷対象となるデータをＰＤＬ（ページ記述言語）データに変換し、必要に応じてコマンドデータとともに印刷ジョブとして送信するためのプリンタドライバも記憶されている。
【００２７】
そして、本例においては、印刷対象となるファイルデータをオープンして、オープンされて表示された画像データについてＭＦＰ５０に対して印刷指示する場合について説明する。
【００２８】
なお、ＰＣ１は、予めＭＦＰ５０に設定されたＩＰアドレスを取得しており、プリンタドライバを用いて印刷対象となるデータをＭＦＰ５０に対して、プリント処理の実行を指示する印刷ジョブとして送信することが可能であり、本例においては、プリンタドライバを用いて印刷対象となるデータの印刷設定をする場合について説明する。具体的には、印刷する際に印刷枚数を節約する節約印刷の設定をする場合について説明する。
【００２９】
＜機能ブロック図＞
図３は、本発明の実施の形態に従うプリンタドライバの機能ブロックを説明する図である。
【００３０】
図３を参照して、当該機能ブロックは、主に節約印刷を実行する機能に基づくものである。
【００３１】
具体的には、プリンタドライバは、枚数認識部２０と、レイアウト設定部２２と、レイアウト情報記憶部２４と、レイアウト情報登録部３０とを含む。
【００３２】
枚数認識部２０は、原稿の枚数を認識する。ここで、原稿とは、印刷対象となる画像データ（ファイルデータ）を指すものとする。具体的には、枚数認識部２０は、ファイルデータに含まれている印刷対象となる画像データの枚数（ページ数）を認識する。
【００３３】
レイアウト情報記憶部２４は、印刷レイアウトの設定に必要なレイアウト情報（節約条件）を記憶する。当該レイアウト情報記憶部２４は、ＨＤＤ１４の一部領域に設けられるものとする。
【００３４】
レイアウト設定部２２は、枚数認識部２０で認識された原稿の枚数に従ってレイアウト情報記憶部２４に記憶されているレイアウト情報に基づいて印刷レイアウトを設定する。そして、当該情報を印刷ジョブとしてＭＦＰ５０に出力する。
【００３５】
レイアウト情報登録部３０は、レイアウト情報記憶部２４にレイアウト情報を登録する。具体的には、レイアウト情報登録部３０は、ユーザーからの節約条件としての印刷レイアウトの設定に関する操作を受け付ける受付部３２と、管理者の操作指示により印刷レイアウトの設定に関して規制された規制条件が登録された規制条件登録部３４と、受付部３２で受け付けた印刷レイアウトの内容が規制条件を超えないか否かを判定する判定部３６と、判定部３６の判定結果（規制条件を超えるとの判定結果）に基づいてメッセージを表示するメッセージ表示部３８と、判定部３６の判定結果（規制条件を超えないとの判定結果）に基づいて印刷レイアウトの設定に関する操作の内容をレイアウト情報（節約条件）としてレイアウト情報記憶部２４に登録する登録部３９とを含む。
【００３６】
＜印刷設定画面＞
図４は、本発明の実施の形態に従うプリンタドライバの印刷設定画面を説明する図である。
【００３７】
図４を参照して、当該印刷設定画面において、「節約印刷する」というチェックボックスがあり、「節約印刷」するかどうかを設定することができる。また、「編集」ボタンが設けられており、押下することにより、節約印刷の設定に関する節約条件登録画面が表示される。当該節約条件登録画面において、ユーザによる節約印刷の設定における印刷レイアウトの設定に関する操作が受け付けられる。
【００３８】
なお、「編集」ボタンは「節約印刷する」のチェックボックスにチェックが付けられている場合のみアクティブとなり、チェックが付けられていない場合はグレーアウトされ操作することができないようにすることも可能である。
【００３９】
一方で、当該印刷設定画面において、「節約印刷する」というチェックボックスにチェックが付けられている状態で「ＯＫ」ボタンが押下されることによりレイアウト情報記憶部２４に登録されているレイアウト情報（節約条件）に基づく節約印刷が実行される。なお、一度、当該チェックボックスにチェックが付けられた場合には、次に印刷設定画面を表示した場合には、当該チェックボックスにチェックが付けられた状態を維持することにより節約印刷に関するユーザーの操作の手間を省略することが可能である。
【００４０】
なお、節約印刷に関するユーザーのレイアウト情報（節約条件）が登録されていない場合には予めデフォルトでレイアウト情報（節約条件）が設けられている場合には当該レイアウト情報を用いるようにしても良い。
【００４１】
図５は、本発明の実施の形態に従うプリンタドライバの節約条件登録画面を説明する図である。
【００４２】
図５を参照して、ここでは、受付部３２のユーザインタフェースとしての節約条件登録画面が示されている。
【００４３】
節約条件登録画面１１０の上覧には「設定リスト」の項目と、下欄には、「追加／編集」の項目とが設けられている。
【００４４】
ここで、「設定リスト」の領域１１２には、３つの登録内容が示されている（Ｎｏ．１〜３）。具体的には、「Ｎｏ．１  原稿枚数  「１」  印刷種類  「片面」  ページ割付  「なし」」が登録されている。また、「Ｎｏ．２  原稿枚数  「２」  印刷種類  「両面」  ページ割付  「なし」」が登録されている。「Ｎｏ．３  原稿枚数  「３以上」  印刷種類  「両面」  ページ割付  「２ｉｎ１」」が登録されている。
【００４５】
また、「追加」ボタンを押下すると、上記領域１１２に対してさらに追加／編集がアクティブになり、原稿枚数に応じた印刷種類、ページ割り付け等を追加して登録することが可能となる。
【００４６】
ここでは、下欄の領域１１４において、「Ｎｏ．１  原稿枚数  「１」  印刷種類  「片面」  ページ割付  「なし」」の条件について編集が可能な状態が示されている。
【００４７】
当該節約条件のユーザ操作に従う登録により、原稿が１枚の場合には、印刷レイアウトの設定に関して片面印刷、２枚の場合には、両面印刷、３枚以上の場合には、両面印刷とともに、２ｉｎ１のレイアウトにする場合が登録されている。
【００４８】
そして、「ＯＫ」ボタン１１６を選択することにより当該印刷レイアウトの設定に関する入力された内容がレイアウト情報（節約条件）として設定されて、条件を満たす場合に登録されることになる。
【００４９】
なお、設定リストは、リスト名毎に登録することも可能であり、ユーザー毎に異なる節約条件（リスト名）を登録しておくことも可能である。すなわち、印刷するユーザーを判定して、登録されているユーザーの節約条件（リスト名）で動作させることも可能である。
【００５０】
図６は、本発明の実施の形態に従うユーザー毎に登録した節約印刷における印刷レイアウトの設定について説明する図である。
【００５１】
図６を参照して、ここでは、ユーザーが印刷物に対して何を重要視するかによって、印刷レイアウトの設定が異なる場合が示されている。
【００５２】
具体的には、ユーザーＡ〜Ｃの場合がそれぞれ示されていて、１枚〜３枚原稿の印刷レイアウトが例示されている。
【００５３】
ユーザーＡは、「なるべく大きく、２ｉｎ１より縮小したくない」（大きさ重視）の印刷レイアウトの設定である。
【００５４】
ユーザーＢは、「ファイリングするから方向、大きさは統一したい」（方向、大きさ重視）の印刷レイアウトの設定である。
【００５５】
ユーザーＣは、「資料は１枚、裏返しもいや」（一覧性重視）の印刷レイアウトの設定である。
【００５６】
上記のように原稿枚数に応じた印刷レイアウトの設定（レイアウト情報）を予め登録しておき、印刷時に原稿枚数を認識して、印刷レイアウトを自動設定して印刷ジョブを実行することで、ユーザーの好みの印刷レイアウトの設定で手間な<印刷することが可能である。なお、上記の例は、１枚、２枚、３枚と設定しているが、１〜ｎ枚、ｎ＋１〜ｍ枚等の原稿枚数を範囲で設定することもできる。
【００５７】
また、例えば、予め「大きさ重視」、「方向、大きさ重視」、「一覧性重視」等の重視項目にそれぞれ対応付けられた印刷レイアウトの設定のパターンを設けておいて、ユーザーが当該重視項目から好みの印刷レイアウトを設定するようにしても良い。具体的には、予め当該重視項目をリスト名としてパターン登録しておくことにより実現可能である。
【００５８】
なお、ここでは、節約条件の設定において、原稿のサイズについては、規定されていないが、例えば、原稿のサイズについても条件として設定することが可能である。また、原稿のサイズに従って原稿枚数および印刷種類等の節約条件を変更するようにしても良い。
【００５９】
図７は、本発明の実施の形態に従う規制条件を設定するための管理画面を説明する図である。
【００６０】
図７を参照して、ここでは、管理者が操作可能である初期設定に関する管理画面１２０が示されている。
【００６１】
当該管理画面１２０の領域１２２には「節約印刷を規制する」というチェックボックスが設けられており、管理者が節約印刷を規制するかどうかを設定することが可能である。また、「編集」ボタン１２４が設けられており、押下することにより規制条件登録画面が表示される。
【００６２】
なお、「編集」ボタン１２４は、「節約印刷を規制する」のチェックボックスにチェックが付けられている場合のみアクティブとなり、チェックが付けられていない場合はグレーアウトされ操作することができないようにすることも可能である。
【００６３】
図８は、本発明の実施の形態に従う規制条件登録画面を説明する図である。
図８を参照して、ここでは、規制条件として、印刷種類と、ページ割付とを規制することが可能な項目が示されている。
【００６４】
本例においては、印刷種類として「片面」が設定され、ページ割付として、「２ｉｎ１」が設定されている場合が示されている。
【００６５】
当該規制条件により、原稿の枚数に対して半分の出力用紙に抑えるように規制することが可能である。
【００６６】
そして、「ＯＫ」ボタンを押下することにより当該規制条件が規制条件登録部３４に登録される。これにより規制条件を満たす場合のみ印刷レイアウトの設定が登録可能になる。
【００６７】
図９は、本発明の実施の形態に従う規制条件と節約条件との関係を説明する概念図である。
【００６８】
図９を参照して、ここでは、規制条件として、図８で設定した印刷種類として「片面」、ページ割付として「２ｉｎ１」が設定された場合の原稿枚数と出力枚数との関係が示されている。具体的には、規制条件の原稿枚数と出力枚数との関係を示すＬ１が示されている。
【００６９】
また、ユーザーＡの「大きさ重視」の印刷レイアウトの設定をした場合の節約条件の原稿枚数と出力枚数との関係を示すＬ２が示されている。
【００７０】
両者を比較した場合に、Ｌ２がＬ１よりも下であるため規制条件を満たすことになる。すなわち、節約条件は、規制条件で規制した出力枚数を超えることはない。
【００７１】
本例においては、ユーザーの好みの印刷レイアウトの設定（節約条件）と、規制条件とを比較して、規制条件を満たす場合にユーザーの好みの印刷レイアウトの設定の登録が可能となるものとする。そして、登録が可能な場合にレイアウト情報としてレイアウト情報記憶部２４に記憶される。そして、記憶された印刷レイアウトの設定（レイアウト情報）で手間無く印刷することが可能である。
【００７２】
一方で、規制条件を満たさない場合には、規制条件を満たすように再度、ユーザーに印刷レイアウトの設定の条件を変更するように促すものとする。例えば、「さらに節約となるように印刷レイアウトを再設定してください」等の表示をディスプレイ１６に表示するものとする。
【００７３】
図１０は、本発明の実施の形態に従う節約印刷するために印刷レイアウトの設定を登録する場合の処理を説明するフロー図である。
【００７４】
図１０を参照して、図５で説明した節約条件登録画面が表示される（ステップＳ２）。具体的には、図４で説明したようにプリンタドライバの印刷設定画面において、「節約印刷」のチェックボックスにチェックが付けられて、「編集」ボタン押下された場合に、節約条件登録画面が表示される。当該処理により受付部３２において、ユーザーからの節約条件としての印刷レイアウトの設定に関する操作が受け付けられる。
【００７５】
次に、設定入力が有るかどうかが判断される（ステップＳ４）。節約条件登録画面１１０において設定入力の操作が有るかどうかが判断される。具体的には、当該節約条件登録画面１１０において設定リストで設定され、「ＯＫ」ボタン１１６が押下されたかどうかを判断する。
【００７６】
なお、設定入力が無いと判断された場合（ステップＳ４においてＮＯ）には、処理を終了する（エンド）。たとえば、節約条件登録画面において「キャンセル」等が押下された場合に相当する。
【００７７】
そして、設定入力が有ると判断された場合（ステップＳ４においてＹＥＳ）に印刷レイアウトの設定に関するレイアウト情報が設定される（ステップＳ６）。受付部３２は、当該節約条件登録画面１１０で設定されたレイアウト情報を判定部３６に出力する。
【００７８】
次に、規制条件を取得する（ステップＳ８）。判定部３６は、規制条件登録部３４で登録された規制条件を取得する。具体的には、図８で設定された規制条件を取得する。
【００７９】
そして、次に、判定部３６において、取得した規制条件と、設定されたレイアウト情報（節約条件）との比較判定処理を実行する（ステップＳ１０）。
【００８０】
そして、判定部３６において、規制条件を満たすかどうかを判断する（ステップＳ１２）。具体的には、図９で説明したように節約条件が規制条件を満たすかどうかを判断する。
【００８１】
ステップＳ１２において、規制条件を満たすと判断した場合（ステップＳ１２においてＹＥＳ）には、登録部３９は、設定されたレイアウト情報をレイアウト情報記憶部２４に登録する（ステップＳ１４）。
【００８２】
そして、処理を終了する。
一方、ステップＳ１２において、規制条件を満たさないと判断した場合（ステップＳ１２においてＮＯ）には、メッセージを表示する（ステップＳ１６）。具体的には、一例として「さらに節約となるように印刷レイアウトを再設定してください」等の表示をディスプレイ１６に表示する。
【００８３】
そして、再び、ステップＳ２に戻り、再度、節約条件登録画面を表示して再設定することを促すものとする。
【００８４】
当該処理により節約印刷のためのレイアウト情報を登録することが可能であり、当該レイアウト情報に基づいて、ユーザーに手間を掛けさせることなく印刷レイアウトの設定が可能である。
【００８５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００８６】
１  ＰＣ、１１  ＣＰＵ、１２  ＲＯＭ、１３  ＲＡＭ、１６  ディスプレイ、１９  内部バス、２０  枚数認識部、２２  レイアウト設定部、２４  レイアウト情報記憶部、３０  レイアウト情報登録部、３２  受付部、３４  規制条件登録部、３６  判定部、３８  メッセージ表示部、３９  登録部、５０  ＭＦＰ。
【図１】
2014026369.tif 000003
【図２】
2014026369.tif 000004
【図３】
2014026369.tif 000005
【図４】
2014026369.tif 000006
【図５】
2014026369.tif 000007
【図６】
2014026369.tif 000008
【図７】
2014026369.tif 000009
【図８】
2014026369.tif 000010
【図９】
2014026369.tif 000011
【図１０】
2014026369.tif 000012